(57)【要約】【課題】始動後短い時間で高圧放電灯の定格電力を判別し、判別した定格電力に応じて高圧放電灯を始動し点灯制御する。【解決手段】高圧放電灯３を始動し点灯制御する電子安定器２と、この電子安定器を駆動制御する電力制御回路７と、ランプ電圧を検出するランプ電圧検出回路４と、始動時、電力制御回路が、電子安定器を特定の定格電力の高圧放電灯がグロー放電からアーク放電に移行でき、他の定格電力の高圧放電灯がグロー放電からアーク放電に移行できない出力電流で駆動したときに、ランプ電圧検出手段４により検出されたランプ電圧によって、接続された高圧放電灯３の定格電力を判別するランプ判別手段６を設ける。電子安定器２はランプ判別回路６が判別した定格電力に基づいて高圧放電灯３を点灯制御する。【選択図】      図１
2007213931.tif 000002
【特許請求の範囲】
【請求項１】
点灯回路の出力電流を制御する制御回路と；
ランプ電圧を検出するランプ電圧検出手段と；
始動時において、前記制御回路の制御信号により、前記点灯回路の出力電流を制御し、特定の定格電力の高圧放電灯がグロー放電からアーク放電に移行でき、他の定格電力の高圧放電灯がアーク放電に移行できない出力電流で駆動したときに、前記ランプ電圧検出手段により検出されたランプ電圧によって、接続された高圧放電灯の定格電力を判別するように構成されたランプ判別手段と；
前記ランプ判別手段が判別した定格電力に基づいて高圧放電灯を点灯制御する点灯回路を具備することを特徴とする高圧放電灯点灯装置。
【請求項２】
前記点灯回路は、定格電力が異なる３個以上の高圧放電灯を点灯制御できるものであり、
前記制御回路は、最初に、点灯回路を定格電力の最も小さい第１の定格電力の高圧放電灯がグロー放電からアーク放電に移行でき、第２、第３、…の定格電力の高圧放電灯がグロー放電からアーク放電に移行できない第１の出力電流で駆動し、続いて、前記点灯回路を定格電力が次に大きい第２の定格電力の高圧放電灯がグロー放電からアーク放電に移行でき、第３、…の定格電力の高圧放電灯がグロー放電からアーク放電に移行できない第２の出力電流で駆動するようにして、前記点灯回路から出力する出力電流を、定格電力の異なる各高圧放電灯に合わせて第１の出力電流から順に切替え、この切替えを、ランプ判別手段が接続された高圧放電灯の定格電力を判別するまで行うことを特徴とする請求項１記載の高圧放電灯点灯装置。
【請求項３】
ランプ判別手段は、高圧放電灯を交換した後、最初の始動時にその高圧放電灯の定格電力を判別し、この判別した結果を始動、点灯制御のためにメモリに記憶し、以降、高圧放電灯が交換されるまで定格電力の判別することなく点灯制御することを特徴とする請求項１又は２記載の高圧放電灯点灯装置。
【請求項４】
請求項１乃至３のいずれか１記載の高圧放電灯点灯装置と；
高圧放電灯を有する照明器具本体と；
を具備することを特徴とする照明装置。
【発明の詳細な説明】
【技術分野】
【０００１】
本発明は、高圧放電灯の定格電力を判別して点灯制御する高圧放電灯点灯装置及びこの高圧放電灯点灯装置を使用した照明装置に関する。
【背景技術】
【０００２】
従来、高圧放電灯点灯装置として、直流電源投入後の高圧放電灯の電気特性、光学特性又は温度特性が所定の閾値を超えたことを検出する検出手段と、閾値を超えるまでの時間を積算するタイマー手段と、このタイマー手段の積算時間の長短により高圧放電灯の種類を判別する判別手段を備えたものが知られている（例えば、特許文献１参照）。
【特許文献１】特開２００３−２２９２８９号公報
【発明の開示】
【発明が解決しようとする課題】
【０００３】
しかしながら、高圧放電灯の電気特性、光学特性又は温度特性が所定の閾値を超えるまでの時間をタイマー手段で積算して高圧放電灯の種類、すなわち、定格電力を判別するものでは、判別するまでに時間がかかり、特に定格電力の大きい高圧放電灯の場合には電気特性、光学特性又は温度特性が所定の閾値を超えるまでに長時間を要するという問題があった。
【０００４】
本発明は、このような問題を解決するために為されたもので、始動後短い時間で高圧放電灯の定格電力を判別でき、この判別に従って高圧放電灯を点灯制御できる高圧放電灯点灯装置及び照明装置を提供する。
【課題を解決するための手段】
【０００５】
請求項１対応の発明は、点灯回路の出力電流を制御する制御回路と、ランプ電圧を検出するランプ電圧検出手段と、始動時において、制御回路の制御信号により、点灯回路の出力電流を制御し、特定の定格電力の高圧放電灯がグロー放電からアーク放電に移行でき、他の定格電力の高圧放電灯がアーク放電に移行できない出力電流で駆動したときに、ランプ電圧検出手段により検出されたランプ電圧によって、接続された高圧放電灯の定格電力を判別するように構成されたランプ判別手段と、ランプ判別手段が判別した定格電力に基づいて高圧放電灯を点灯制御する点灯回路を具備する高圧放電灯点灯装置にある。
【０００６】
これにより、特定の定格電力の高圧放電灯が接続されているときには、始動時の出力電流で高圧放電灯がグロー放電からアーク放電に移行するので、ランプ電圧が低下する。これをランプ電圧検出手段が検出し、ランプ判別手段がランプ電圧の低下から高圧放電灯の定格電力が特定の定格電力であることを判別する。これにより、点灯回路はアーク放電以降の点灯を維持する。
【０００７】
また、特定の高圧放電灯の定格電力（例えば、３５Ｗのセラミックメタルハライドランプ）よりも定格電力の大きい高圧放電灯（例えば、７０Ｗのセラミックメタルハライドランプ）が接続されたときには、始動時の小さな出力電流で高圧放電灯がグロー放電からアーク放電に移行することはなく、グロー放電の状態に留まる。このためランプ電圧は高い状態のままとなる。これをランプ電圧検出手段が検出し、ランプ判別手段は接続されている高圧放電灯の定格電力が高い（７０Ｗ）ことを判別する。これにより、制御回路は点灯回路をより大きな出力電流で駆動し、高圧放電灯に対して再度始動を開始する。
【０００８】
請求項２対応の発明は、請求項１記載の高圧放電灯点灯装置において、点灯回路は定格電力が異なる３個以上の高圧放電灯を点灯制御できるものであり、制御回路は、最初に、点灯回路を定格電力の最も小さい第１の定格電力の高圧放電灯がグロー放電からアーク放電に移行でき、第２、第３、…の定格電力の高圧放電灯がグロー放電からアーク放電に移行できない第１の出力電流で駆動し、続いて、点灯回路を定格電力が次に大きい第２の定格電力の高圧放電灯がグロー放電からアーク放電に移行でき、第３、…の定格電力の高圧放電灯がグロー放電からアーク放電に移行できない第２の出力電流で駆動するようにして、点灯回路から出力する出力電流を、定格電力の異なる各高圧放電灯に合わせて第１の出力電流から順に切替え、この切替えを、ランプ判別手段が接続された高圧放電灯の定格電力を判別するまで行うことにある。
【０００９】
このように、定格電力の異なる３種以上の高圧放電灯に対しては、点灯回路を、定格電力の最も小さい高圧放電灯に対応する第１の出力電流で駆動し、接続されている高圧放電灯がアーク放電へ移行しなければ、点灯回路を、定格電力が次に大きい高圧放電灯に対応する第２の出力電流で駆動し、接続されている高圧放電灯がアーク放電へ移行しなければ、点灯回路を、定格電力が次に大きい高圧放電灯に対応する第３の出力電流で駆動するようにして出力電流を切替える。そして、接続されている高圧放電灯がアーク放電に移行すれば、ランプ判別手段は接続されている高圧放電灯の定格電力を判別し、点灯回路はアーク放電以降の点灯制御を開始する。
【００１０】
このようにして、定格電力の異なる３種以上の高圧放電灯に対してもランプ判別手段は始動時において接続されている高圧放電灯の定格電力を迅速に判別できる。
【００１１】
請求項３対応の発明は、請求項１又は２記載の高圧放電灯点灯装置において、ランプ判別手段は、高圧放電灯を交換した後、最初の始動時にその高圧放電灯の定格電力を判別し、この判別した結果を始動、点灯制御のためにメモリに記憶し、以降、高圧放電灯が交換されるまで定格電力の判別することなく点灯制御することにある。
【００１２】
このように、高圧放電灯を交換したときの最初の始動時において、高圧放電灯の定格電力を判別してメモリに記憶し、以降は、定格電力の判別を行わずにメモリの定格電力を使用して高圧放電灯の始動を行えばよい。このように高圧放電灯の交換時の最初の始動時にのみ定格電力の判別を行い、それ以降は定格電力の判別を行わずに始動を行うので、定格電力の判別のために始動を繰り返すようなことは無く、高圧放電灯に対してダメージを与えやすいグロー放電を極力短くできる。これにより、高圧放電灯の寿命低減を防止することができる。
【００１３】
請求項４対応の発明は、請求項１乃至３のいずれか１記載の高圧放電灯点灯装置と、高圧放電灯を有する照明器具本体を具備した照明装置にある。  
この照明装置は、定格電力の異なる高圧放電灯が照明器具に装填されても、その高圧放電灯の定格電力を判定し、その定格電力に応じて高圧放電灯を点灯制御し照明を行う。
【発明の効果】
【００１４】
本発明によれば、始動後短い時間で高圧放電灯の定格電力を判別でき、この判別に従って高圧放電灯を始動し点灯制御できる高圧放電灯点灯装置及び照明装置を提供できる。  
また、本発明によれば、高圧放電灯に対してダメージを与えやすいグロー放電を極力短くすることで高圧放電灯の寿命低減を防止できる高圧放電灯点灯装置及び照明装置を提供できる。
【発明を実施するための最良の形態】
【００１５】
以下、本発明の実施の形態を、図面を参照して説明する。  
（第１の実施の形態）
なお、この実施の形態は、例えば、定格電力が３５Ｗか７０Ｗか、いずれかの高圧放電灯を判別して始動し点灯制御するものについて述べる。
【００１６】
商用交流電源１に点灯回路を構成する電子安定器２を接続している。前記電子安定器２は、例えば、交流を全波整流する全波整流回路、この全波整流回路出力を昇圧する昇圧チョッパ回路、この昇圧チョッパ回路出力を平滑する平滑コンデンサからなる直流電源回路と、この直流電源回路から直流電源の供給を受けて交流の矩形波電圧を出力するインバータ回路と、高圧放電灯を始動するために高圧パルスを発生する始動回路２ａによって構成されている。
【００１７】
前記電子安定器２の出力端に高圧放電灯３を接続している。この場合、高圧放電灯３は口金を有する電球形状で、電子安定器２の出力端は高圧放電灯３の口金を螺着するソケットになっている。  
前記高圧放電灯３の両端間に発生するランプ電圧ＶLをランプ電圧検出手段であるランプ電圧検出回路４で検出するとともに前記高圧放電灯３に流れるランプ電流をランプ電流検出回路５で検出している。
【００１８】
前記ランプ電圧検出回路４が検出したランプ電圧をランプ判別手段であるランプ判別回路６に供給し、前記ランプ電流検出回路５が検出したランプ電流を、制御回路を構成する電力制御回路７に供給している。前記ランプ判別回路６は検出したランプ電圧から高圧放電灯３の定格電力を判定する。そして、判定した定格電力情報を前記電力制御回路７に供給している。
【００１９】
前記ランプ判別回路６及び電力制御回路７は、図３に示す流れ図に基づいて制御を行う。前記電力制御回路７は、例えば、定格電力が３５Ｗの高圧放電灯３を特定の高圧放電灯とし、この高圧放電灯３がグロー放電からアーク放電に移行できる出力電流（略０．３ｍＡ）を設定している。
【００２０】
始動時に、先ず、ステップＳ１にて、前記電力制御回路７は、出力電流（ランプ電流）ＩLを略０．３ｍＡに設定して前記電子安定器２の始動回路２ａを駆動する。そして、この出力電流の基で高圧放電灯３がグロー放電からアーク放電に移行したか否かを、ランプ判別回路６がランプ電圧検出回路４からのランプ電圧の検出値によって判別する。前記電子安定器２の出力電圧ＶL−出力電流（ランプ電流）ＩL特性は、図２に示すようになっている。
【００２１】
続いて、ステップＳ２にて、ランプ判別回路６は、ランプ電圧検出回路４が検出したランプ電圧ＶLが略４０Ｖ以下に低下したか否かを判断し、略４０Ｖ以下に低下していると、ステップＳ３にて、定格電力が３５Ｗの高圧放電灯３が接続されていることを判別する。また、ランプ電圧ＶLが略４０Ｖ以下に低下しなければ、ステップＳ４にて、定格電力が７０Ｗの高圧放電灯３が接続されていることを判別する。
【００２２】
すなわち、図４に、Ｔ３５Ｗ８３０a1（フィリップス社製）及びＲ３５Ｗ８３０a1（フィリップス社製）の３５Ｗの高圧放電灯と、Ｒ７０Ｗ９４２（フィリップス社製）及びＴＰ７０Ｗ９３５（フィリップス社製）の７０Ｗの高圧放電灯を、電子安定器２を出力電流０．３ｍＡで駆動したときの始動直後の電圧を示すように、３５Ｗの高圧放電灯の場合はいずれもアーク放電へ移行してランプ電圧が略４０Ｖ以下に低下しているのに対し、７０Ｗの高圧放電灯の場合はいずれもアーク放電へは移行せずにグロー放電のままランプ電圧が略２００Ｖ近くを維持している。
【００２３】
従って、ステップＳ３にて、定格電力が３５Ｗの高圧放電灯３が接続されていることを判別したときには、ステップＳ５にて、電力制御回路７はそのまま点灯制御を継続し、高圧放電灯３を安定点灯状態に移行させる。このとき、電力制御回路７はランプ電流検出回路５からのランプ電流検出値に基づいて、ランプ電流が一定になるように電子安定器２を制御する。
【００２４】
また、ステップＳ４にて、定格電力が７０Ｗの高圧放電灯３が接続されていることを判別したときには、ステップＳ６にて、電力制御回路７は出力電流を定格電力７０Ｗ用に切替え、改めて始動回路２ａを駆動する。これによって、定格電力が７０Ｗの高圧放電灯３には充分な出力電流が与えられ、高圧放電灯３はグロー放電からアーク放電へ移行して点灯状態になる。このときも、電力制御回路７はランプ電流検出回路５からのランプ電流検出値に基づいて、ランプ電流が一定になるように電子安定器２を制御する。
【００２５】
このように、電子安定器２に接続された高圧放電灯３が定格電力３５Ｗのものか、定格電力７０Ｗのものかを、始動時のグロー放電か、アーク放電へ移行したものかをランプ電圧の高低によって判別する。このときに判別に要する時間は極めて短い。従って、電子安定器２に接続されている高圧放電灯３の定格電力が７０Ｗで、当初特定した定格電力３５Ｗと異なっているために、最初の始動ではアーク放電に移行せず、出力電流を変更して定格電力７０Ｗの高圧放電灯３を改めて判別することになっても、それまでに要する時間は高圧放電灯がアーク放電から安定点灯状態になる時間に比べて充分に短くできる。
【００２６】
（第２の実施の形態）
なお、この実施の形態も、定格電力が３５Ｗか７０Ｗか、いずれかの高圧放電灯を判別して点灯制御するものについて述べ、前述した実施の形態と同一の部分には同一の符号を付し、詳細な説明は省略する。
【００２７】
この実施の形態は、図５に示すように、ランプ判別回路６に代えて、メモリ８を備えたランプ判別回路６１を設けている。前記ランプ判別回路６１は、高圧放電灯３を交換した後の最初の始動時に高圧放電灯３の定格電力を判別し、定格電力が３５Ｗか７０Ｗかを判別すると、その判別結果を前記メモリ８に記憶するようにしている。
【００２８】
この場合の高圧放電灯３の交換の判断は、高圧放電灯３を覆うカバーの取り外しを検知して交換を判断したり、交換時にリセットスイッチを操作することで交換を判断したり、など様々な方法があり、特に限定されない。
【００２９】
前記ランプ判別回路６１は、定格電力の判別結果を前記メモリ８に記憶した後の２回目以降の始動時においては定格電力の判別を停止し、前記メモリ８に記憶した定格電力情報を電力制御回路７へ供給する。そして、この動作は、次に高圧放電灯３が交換されるまで継続される。
【００３０】
このような構成においては、高圧放電灯３が交換され電子安定器２が高圧放電灯３に対して最初に始動するときには、ランプ判別回路６１は高圧放電灯３の定格電力の判別を行う。このときの判別は前述した第１の実施の形態と同じで、例えば、最初に３５Ｗの定格電力を判別し、３５Ｗの高圧放電灯であればそのまま点灯制御へ移行し、また、７０Ｗの高圧放電灯であれば電力制御回路７は出力電流（ランプ電流）ＩLを７０Ｗ用に切替えて電子安定器２を制御し、電子安定器２は高圧放電灯３を再度始動することになる。
【００３１】
ランプ判別回路６１は高圧放電灯３が３５Ｗか７０Ｗかを判別するとその判別結果をメモリ８に記憶する。そして、次の始動からはランプ判別回路６１のメモリ８に記憶している定格電力情報が電力制御回路７に供給され、電力制御回路７はそれに応じて電子安定器２を制御し、電子安定器２は高圧放電灯３を始動し点灯制御することになる。
【００３２】
このように、ランプ判別された後の高圧放電灯３に対する始動は常に１回でよく、従って、高圧放電灯３に対してダメージを与えやすいグロー放電させる時間を極力短くでき、高圧放電灯の寿命低減を防止することができる。
【００３３】
（第３の実施の形態）
なお、この実施の形態も、定格電力が３５Ｗか７０Ｗか、いずれかの高圧放電灯を判別して点灯制御するものについて述べ、前述した実施の形態と同一の部分には同一の符号を付し、詳細な説明は省略する。  
この実施の形態は、図６に示すように、ランプ電圧検出回路４が検出するランプ電圧をランプ判別回路６２、ランプ寿命判定手段９及びランプ交換検出手段１０に供給している。
【００３４】
前記ランプ寿命判定手段９は、入力されるランプ電圧から高圧放電灯３の寿命を判定し、寿命末期になったことを判定すると、その結果をメモリ１１に記憶する。前記ランプ交換検出手段１０は前記ランプ寿命判定手段９から寿命末期判定情報を入力すると、それを前記ランプ判別回路６２に出力するとともに、高圧放電灯３の安定点灯時のランプ電圧をランプ電圧検出回路４から取込む。そして、前記ランプ交換検出手段１０はランプ電圧状態によって高圧放電灯３が交換されたか否かを検出し、交換を検出すると、前記ランプ判別回路６２に交換検出信号を供給するようにしている。
【００３５】
前記ランプ判別回路６２は、メモリ１２を設け、高圧放電灯３が交換され電子安定器２が高圧放電灯３に対して最初に始動するときに高圧放電灯３の定格電力の判別を行う。そして、定格電力の判別結果を前記メモリ１２に記憶し、２回目以降の始動時においては定格電力の判別を停止し、前記メモリ１２に記憶した定格電力情報を電力制御回路７へ供給する。
【００３６】
前記ランプ判別回路６２は、その後、前記ランプ交換検出手段１０からランプの寿命末期判定情報を取込むと、以降、毎回始動時に高圧放電灯３の定格電力の判別を行うようになる。そして、前記ランプ交換検出手段１０からランプの交換検出信号を取込むと、高圧放電灯３の定格電力の判別を停止するようにしている。
【００３７】
このように、高圧放電灯３を交換したときにランプの定格電力を判別し、一旦ランプ判別が行われると、高圧放電灯３の寿命末期が検出されるまでは高圧放電灯３に対する始動は常に１回でよく、従って、高圧放電灯３に対してダメージを与えやすいグロー放電させる時間を極力短くでき、高圧放電灯の寿命低減を防止することができる。そして、高圧放電灯３の寿命末期が検出された後はランプ判別を毎回行うことで、何時の時点で高圧放電灯が交換されても、交換後の最初の始動時においてランプの定格電力の判別を確実に行うことができる。
【００３８】
なお、前述した各実施の形態では、高圧放電灯３の定格電力が３５Ｗと７０Ｗの２種類の場合について述べたが、さらに、定格電力１５０Ｗを加えて３種類を判別して点灯制御することもできる。  
例えば、電力制御回路７に、定格電力が３５Ｗ、７０Ｗ、１５０Ｗの３種類についてそれぞれの高圧放電灯がグロー放電からアーク放電に移行できる第１、第２、第３の出力電流を設定する。
【００３９】
そして、電力制御回路７は、始動時において、先ず、定格電力が最も小さい３５Ｗ（第１の定格電力）の高圧放電灯がグロー放電からアーク放電に移行できる第１の出力電流で電子安定器２を駆動する。この第１の出力電流の基で高圧放電灯３がグロー放電からアーク放電に移行したか否かを、ランプ判別回路６（６１，６２）がランプ電圧検出回路４からのランプ電圧の検出値によって判別する。
【００４０】
ランプ判別回路６（６１，６２）が高圧放電灯３の定格電力が３５Ｗであることを判別すると、電力制御回路７は、電子安定器２の制御をそのまま継続し、高圧放電灯３の以降の点灯を維持する。また、ランプ判別回路６（６１，６２）が高圧放電灯３の定格電力が３５Ｗでないことを判別すると、電力制御回路７は、次に７０Ｗ（第２の定格電力）の高圧放電灯がグロー放電からアーク放電に移行できる第２の出力電流で電子安定器２を駆動する。この第２の出力電流の基で高圧放電灯３がグロー放電からアーク放電に移行したか否かを、ランプ判別回路６（６１，６２）がランプ電圧検出回路４からのランプ電圧の検出値によって判別する。
【００４１】
ランプ判別回路６（６１，６２）が高圧放電灯３の定格電力が７０Ｗであることを判別すると、電力制御回路７は、電子安定器２の制御をそのまま継続し、高圧放電灯３の以降の点灯を維持する。また、ランプ判別回路６（６１，６２）が高圧放電灯３の定格電力が７０Ｗでないことを判別すると、電力制御回路７は、次に１５０Ｗ（第３の定格電力）の高圧放電灯がグロー放電からアーク放電に移行できる第３の出力電流で電子安定器２を駆動する。従って、定格電力が１５０Ｗの高圧放電灯３が接続されていれば、この時点で始動によりアーク放電へ移行する。こうして最終的には１５０Ｗの高圧放電灯も点灯制御できる。
【００４２】
このようにして、定格電力の異なる３種類の高圧放電灯を点灯制御できる装置においても、ランプ判別回路６（６１，６２）が高圧放電灯３の定格電力を判別するまで電力制御回路７は出力電流が順次大きくなるように電子安定器２を制御するので、定格電力の異なる３種類の高圧放電灯のどの高圧放電灯が接続されても始動し点灯する制御ができる。そして、この場合においても、ランプ判別回路によるランプの定格電力の判別は始動時に行われるので、判定に要する時間を短くできる。  
なお、このランプ判別方式を使用すれば、４種類以上の定格電力を判別して点灯制御することも容易に実現できる。
【００４３】
（第４の実施の形態）
この実施の形態は、前述した第１乃至第３の実施の形態に記載した高圧放電灯点灯装置のいずれかを設けた照明装置ついて述べる。  
図５に示すように、高圧放電灯点灯装置１００は照明器具１０１と別置され、この照明器具１０１のソケットに高圧放電灯３の口金を螺着し装填している。放電灯点灯装置１００は前述した第１乃至第３のいずれかの実施の形態に記載した高圧放電灯点灯装置の構成になっている。
【００４４】
このような構成の照明装置に使用する高圧放電灯点灯装置１００は、高圧放電灯３として、定格電力が３５Ｗのもの、また、定格電力が７０Ｗのものの、いずれが装填されてもその定格電力を短時間で判別し、適正な出力電流によって始動し安定点灯させることができる。
【図面の簡単な説明】
【００４５】
【図１】本発明の、第１の実施の形態に係る、高圧放電灯点灯装置の構成を示すブロック図。
【図２】同実施の形態において、電子安定器を略０．３ｍＡの出力電流で駆動したときの電子安定器の出力電圧−出力電流特性を示すグラフ。
【図３】同実施の形態における電力制御回路及びランプ判別回路による制御を示す流れ図。
【図４】同実施の形態において、電子安定器を略０．３ｍＡの出力電流で駆動して定格電力３５Ｗ及び７０Ｗの高圧放電灯を始動させた直後のランプ電圧状態を示す図。
【図５】本発明の、第２の実施の形態に係る、高圧放電灯点灯装置の構成を示すブロック図。
【図６】本発明の、第３の実施の形態に係る、高圧放電灯点灯装置の構成を示すブロック図。
【図７】本発明の、第４の実施の形態に係る、照明装置の構成を示す斜視図。
【符号の説明】
【００４６】
２…電子安定器、３…高圧放電灯、４…ランプ電圧検出回路、６…ランプ判別回路、７…電力制御回路。
【図１】
2007213931.tif 000003
【図２】
2007213931.tif 000004
【図３】
2007213931.tif 000005
【図４】
2007213931.tif 000006
【図５】
2007213931.tif 000007
【図６】
2007213931.tif 000008
【図７】
2007213931.tif 000009